(57)【要約】【解決手段】  外殻体、固定座、ステータ組、ローター組および伸縮軸管により構成される。固定座には固定蓋板が含まれ、固定座と固定蓋板は共同で外殻体とステータ組を固定するのに用いられる。ステータ組、ローター組と伸縮軸管は互いに嵌設し合うことにより、ステッピングモータが形成される。固定座には他に一対の導引桿が含まれ、導引桿は伸縮軸管に穿設され、そして固定座と固定蓋板の間に固定されることにより、導引桿により伸縮軸管の軸方向への移動を精確に導引することができるように構成されている。【効果】  一対の導引桿をステッピングモータに応用させ、固定座を利用して導引桿を組み立てて固定することにより、導引桿により伸縮軸管が回転するのを導引することができるため、ステッピングモータの全体の構造を簡単化にし、さらに組立の作業が便利になることができる。【選擇図】  図２【実用新案登録請求の範囲】
【請求項１】
固定座（１０）、ステータ組（２０）、ローター組（３０）および伸縮軸管（４０）により構成される光軸ステッピングモータの導引構造であって、固定座（１０）には少なくとも一個の導引桿（１１０）が設けられ、ステータ組（２０）には磁極リングとコイルが形成され、ローター組（３０）には環状磁石（３１）が形成され、ローター組（３０）はステータ組（２０）の内部に嵌設され、伸縮軸管（４０）はローター組（３０）の内部に嵌設されて組合せのユニットに形成され、伸縮軸管（４０）により相対的な伸長と収縮の作動を行うことができ、伸縮軸管（４０）には少なくとも一個の導引貫通孔（４００）が形成され、導引貫通孔（４００）は固定座（１０）の導引桿（１１０）を収容するのに用いられ、固定座（１０）の導引桿（１１０）によって伸縮軸管（４０）の導引貫通孔（４００）を制限し導引することにより、伸縮軸管（４０）は軸方向への移動をスムースに行うことができることを特徴とする光軸ステッピングモータの導引構造。
【請求項２】
他に外殻体（１）が含まれ、外殻体（１）はステータ組（２０）、ローター組（３０）と伸縮軸管（４０）による組合せのユニットに嵌設するのに用いられることを特徴とする請求項１記載の光軸ステッピングモータの導引構造。
【請求項３】
固定座（１０）には少なくとも一個の位置決め孔（１１）が設けられ、位置決め孔（１１）は導引桿（１１０）を固定するのに用いられることを特徴とする請求項１記載の光軸ステッピングモータの導引構造。
【請求項４】
固定座（１０）には他に固定蓋板（１０’）が含まれることを特徴とする請求項３記載の光軸ステッピングモータの導引構造。
【請求項５】
外殻体（１）は固定座（１０）と固定蓋板（１０’）の間に固定されることを特徴とする請求項４記載の光軸ステッピングモータの導引構造。
【請求項６】
固定蓋板（１０’）には少なくとも一個の位置決め孔（１１’）が設けられ、位置決め孔（１１’）は導引桿（１１０）を固定するのに用いられることを特徴とする請求項４記載の光軸ステッピングモータの導引構造。
【請求項７】
固定座（１０）には複数個の組立孔（１２）が設けられ、ステータ組（２０）には複数個の組立柱（２１）が設けられ、ステータ組（２０）の組立柱（２１）は固定座（１０）の組立孔（１２）に嵌設されることを特徴とする請求項１記載の光軸ステッピングモータの導引構造。
【請求項８】
固定蓋板（１０’）には複数個の組立孔（１２’）が設けられ、ステータ組（２０）には複数個の組立柱（２１）が設けられ、ステータ組（２０）の組立柱（２１）は固定蓋板（１０’）の組立孔（１２’）に嵌設されることを特徴とする請求項４記載の光軸ステッピングモータの導引構造。
【考案の詳細な説明】
【技術分野】
【０００１】
本考案は光軸ステッピングモータの導引構造に関するもので、特にステッピングモータには固定座が設けられ、固定座に一対の導引桿が設けられ、導引桿により伸縮軸管を固定し導引することができる光軸ステッピングモータの導引構造に係るものである。
【背景技術】
【０００２】
従来のステッピングモータの構造としては、ステッピングモータとレンズ座が掲示される。上記ステッピングモータには環状コイルステータおよび磁石リングローターが含まれる。上記レンズ座には一対の押し止めリングが形成され、上記押し止めリングはステッピングモータの磁石リングローターに対応するように設置され、上記押し止めリングにより磁石リングローターの軸方向への移動を制限することができるようにとしたものがある（例えば、特許文献１を参照）。
【特許文献１】中華民国公告番号第５５６８５１号
【考案の開示】
【考案が解決しようとする課題】
【０００３】
上記のような従来のステッピングモータの構造においては、上記レンズ座には一対の押し止めリングまたはその他の位置決め部材が設置され、上記押し止めリングにより磁石リングローターの軸方向への移動を制限することができるが、構造が複雑で組立が難しいという問題点があった。その他に、上記レンズ座には嵌め部材を設置しなければならず、上記嵌め部材にはスリーブの軸方向への移動を精確に導引するための導引部材が複数個設けられている。すなわち、上記のような従来のステッピングモータとレンズ座をさらに改良することにより、ローターの軸方向への移動範囲を精確に制限すると共に、全体の構造を簡単化し、さらに組立の作業を便利にすることができる。
【０００４】
本考案はこのような問題点に鑑みて考案したものであって、その目的とするところは、一対の導引桿をステッピングモータに応用させ、固定座を利用して導引桿を組み立てて固定することにより、導引桿により伸縮軸管が回転するのを導引することができるため、ステッピングモータの全体の構造を簡単化し、さらに組立の作業が便利になることができる光軸ステッピングモータの導引構造を提供しようとするものである。
【０００５】
本考案の第一の目的は、固定座に一対の導引桿を設け、導引桿により伸縮軸管を固定し導引することができるため、ステッピングモータの全体の構造を簡単化し、さらに組立の作業が便利になることができる光軸ステッピングモータの導引構造を提供しようとするものである。
【０００６】
本考案の第二の目的は、一対の導引桿を利用し、導引桿により伸縮軸管の軸方向への移動を固定し導引することができるため、ステッピングモータの品質を高めることができる光軸ステッピングモータの導引構造を提供しようとするものである。
【０００７】
本考案の第三の目的は、一対の導引桿を利用し、導引桿は伸縮軸管を直接穿設するように形成されることにより、ステッピングモータの内部の空間を省くことができるため、ステッピングモータの体積を高めることができる光軸ステッピングモータの導引構造を提供しようとするものである。
【０００８】
上記目的を達成するために、本考案による光軸ステッピングモータの導引構造は、下記のようになる。すなわち、
固定座、ステータ組、ローター組および伸縮軸管により構成される。固定座には少なくとも一個の導引桿が設けられる。ステータ組には磁極リングとコイルが形成される。ローター組には環状磁石が形成され、ローター組はステータ組の内部に嵌設される。伸縮軸管はローター組の内部に嵌設されて組合せのユニットに形成され、伸縮軸管により相対的な伸長と収縮の作動を行うことができ、伸縮軸管には少なくとも一個の導引貫通孔が形成され、導引貫通孔は固定座の導引桿を収容するのに用いられる。固定座の導引桿によって伸縮軸管の導引貫通孔を制限し導引することにより、伸縮軸管は軸方向への移動をスムースに行うことができる。
【０００９】
本考案による光軸ステッピングモータの導引構造は、他に外殻体が含まれ、外殻体はステータ組、ローター組と伸縮軸管による組合せのユニットに嵌設するのに用いられることもできる。また、固定座には少なくとも一個の位置決め孔が設けられ、位置決め孔は導引桿を固定するのに用いられることもできる。また、固定座には他に固定蓋板が含まれることもできる。また、外殻体は固定座と固定蓋板の間に固定されることもできる。また、固定蓋板には少なくとも一個の位置決め孔が設けられ、位置決め孔は導引桿を固定するのに用いられることもできる。また、固定座には複数個の組立孔が設けられ、ステータ組には複数個の組立柱が設けられ、ステータ組の組立柱は固定座の組立孔に嵌設されることもできる。また、固定蓋板には複数個の組立孔が設けられ、ステータ組には複数個の組立柱が設けられ、ステータ組の組立柱は固定蓋板の組立孔に嵌設されることもできる。
【考案の効果】
【００１０】
本考案の光軸ステッピングモータの導引構造によれば、固定座に一対の導引桿を設け、導引桿により伸縮軸管を固定し導引することができるため、ステッピングモータの全体の構造を簡単化し、さらに組立の作業が便利になることができるという利点がある。
【００１１】
本考案の光軸ステッピングモータの導引構造によれば、一対の導引桿を利用し、導引桿により伸縮軸管の軸方向への移動を固定し導引することができるため、ステッピングモータの品質を高めることができるという利点がある。
【００１２】
本考案の光軸ステッピングモータの導引構造によれば、一対の導引桿を利用し、導引桿は伸縮軸管を直接穿設するように形成されることにより、ステッピングモータの内部の空間を省くことができるため、ステッピングモータの体積を高めることができるという利点がある。
【考案を実施するための最良の形態】
【００１３】
本考案の実施の形態について、以下、図面を参照して説明する。
【００１４】
図１、２、３を参照すると、本考案の実施例の光軸ステッピングモータの導引構造には外殻体１、固定座１０、ステータ組２０、ローター組３０および伸縮軸管４０が含まれる。ステータ組２０、ローター組３０と伸縮軸管４０を順序よく嵌設して組合せのユニットを形成することにより、ステッピングモータが形成される。上記組合せのユニットは外殻体１の内部に収容される。他に、伸縮軸管４０は伸縮機構に形成され、そしてステッピングモータの回転により相対的な伸長および収縮の作動を行うことができる。
【００１５】
再び図１を参照すると、構造上において外殻体１は円柱体に属するもので、モータの部材を保護するのに用いられる。外殻体１はステッピングモータとその伸縮機構の作動を支持できるような強度を有するように形成される。
【００１６】
再び図１、２を参照すると、構造上において固定座１０には固定蓋板１０’が含まれる。固定座１０には複数個の位置決め孔１１と複数個の組立孔１２が設けられるのに対し、固定蓋板１０’には複数個の位置決め孔１１’と複数個の組立孔１２’が設けられ、複数個の位置決め孔１１’と複数個の組立孔１２’は固定座１０の複数個の位置決め孔１１と複数個の組立孔１２に対応するように形成される。固定座１０には他に複数個の導引桿１１０が設けられ、導引桿１１０の両端は固定座１０の位置決め孔１１と固定蓋板１０’の位置決め孔１１’に嵌設される。
【００１７】
再び図１、２を参照すると、構造上においてステータ組２０は一個の磁極リング（図示せず）と一個のコイル組（図示せず）により組成され、上記コイル組の磁気エネルギーは上記磁極リングによって交番磁界を生じることができるため、ローター組３０が回転するのを駆動することができる。その他に、ステータ組２０には複数個の組立柱２１が突出するように設けられる。空間配置上において組立柱２１はそれぞれステータ組２０の両側に配置される。組立時において組立柱２１により固定座１０の組立孔１２と固定蓋板１０’の組立孔１２’を組み立てることができるため、固定座１０と固定蓋板１０’は共同で外殻体１とステータ組２０を固定することができる。
【００１８】
再び図１、２を参照すると、構造上においてローター組３０の外周縁には環状磁石３１が形成され、上記環状磁石３１は永久磁石の複数個の磁極により組成され、環状磁石３１はステータ組２０の磁極リングを誘導することができるため、ステータ組２０によりローター組３０が回転するのを励磁し駆動することができる。
【００１９】
再び図１、２を参照すると、構造上において伸縮軸管４０には一個のレンズ組４１と複数個の導引貫通孔４００が設けられる。導引貫通孔４００は伸縮軸管４０の本体の両端を直接貫穿するように形成されるため、余分な配置空間を占めることがない。レンズ組４１は伸縮軸管４０の一端に組み立てられ、導引貫通孔４００は固定座１０の導引桿１１０を収容するのに用いられる。伸縮軸管４０はローター組３０の内部に螺合し嵌設されることにより、ステータ組２０、ローター組３０と伸縮軸管４０は互いに嵌合してステッピングモータとして形成することができる。
【００２０】
再び図２を参照すると、固定座１０の導引桿１１０は伸縮軸管４０の導引貫通孔４００に穿設されると共に、固定座１０と固定蓋板１０’の間に固定される。伸縮軸管４０は導引桿１１０に沿って軸方向への移動を行わなければならないため、導引桿１１０により伸縮軸管４０の軸方向への移動を精確に導引することができる。
【００２１】
図３を参照すると、外殻体１の内部においてローター組３０が回転の作動を行った時、ローター組３０の内ねじは伸縮軸管４０の外ねじに当接し押圧することにより、伸縮軸管４０が軸方向への移動を行うのを駆動することができ、すなわち伸縮軸管４０は軸方向に沿って前進と後退の作動を行うことができる。
【００２２】
再び図３を参照すると、伸縮軸管４０が軸方向への移動を行った時、固定座１０の導引桿１１０は伸縮軸管４０を位置決めして導引することができるため、伸縮軸管４０は軸方向への移動をスムースに行うことができる。このように、固定座１０の導引桿１１０により伸縮軸管４０の軸方向への移動を高めることができるため、ステッピングモータの品質を高めることができる。
【産業上の利用可能性】
【００２３】
上述の如く、従来のステッピングモータの構造によれば、レンズ座の内部には一対の押し止めリングまたはその他の位置決めの部材が設置され、押し止めリングにより磁石リングローターの軸方向への移動を制限することができるが、構造が複雑で組立が難しいという問題点があった。それに反して、本考案の実施例の光軸ステッピングモータの導引構造によれば、固定座１０の導引桿１１０により伸縮軸管４０を制限することができるため、ステッピングモータの品質を高めることができる。また、固定座１０の導引桿１１０により伸縮軸管４０の導引貫通孔４００を直接穿設することにより、ステッピングモータの内部の空間を省くことができるため、ステッピングモータの体積を減らすことができる。
【００２４】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本考案の実施例の光軸ステッピングモータの導引構造による分解斜視図である。
【図２】本考案の実施例の光軸ステッピングモータの導引構造による組み立てられた状態の断面図である。
【図３】本考案の実施例の光軸ステッピングモータの導引構造による作動の説明図である。
【符号の説明】
【００２６】
１      外殻体
１０      固定座
１１      位置決め孔
１２      組立孔
１１０      導引桿
１０’    固定蓋板
１１’    位置決め孔
１２’    組立孔
２０      ステータ組
２１      組立柱
３０      ローター組
３１      環状磁石
４０      伸縮軸管
４００      導引貫通孔
４１      レンズ組
【図１】
0003105614.tif 000002
【図２】
0003105614.tif 000003
【図３】
0003105614.tif 000004